(57)【要約】【課題】本発明は、絵文字コミュニケーション機能、広告付き短編動画データの自動編集、動画コンテンツの著作権保護の実現、番組表の自動作成などの機能を備えた短編動画データ配信装置を提供する。【解決手段】本発明は、動画データ投稿・動画閲覧をする情報端末装置２と、広告付き短編動画データの配信を含む動画共有サイトを実現する主装置１１と、情報端末装置２、主装置１１間で各種情報の送受信を行うインターネット回線３０などの通信網とを有する短編動画データ配信装置１であって、情報端末装置２は、ユーザ登録・動画投稿・動画閲覧を実行するアプリケーションソフトを実装し、主装置１１は、絵文字を登録し絵文字から各国語テキスト文書ファイルへの変換、広告付き配信動画データの作成、広告付き配信動画データに対する著作権保護情報の付与、広告付き配信動画データの管理及び番組表へのどう自動割り当ての各機構を実現するアプリケーションソフトを実装することを特徴とするものである。【選択図】図１
2009268028.tif 000002
【特許請求の範囲】
【請求項１】
動画データ投稿・動画閲覧をする情報端末装置と、
情報端末装置から受信した動画データを基に、広告付き短編動画データの配信を含む動画共有サイトを実現する主装置と、
前記情報端末装置、主装置間で各種情報の送受信を行う通信網と、
を有する短編動画データ配信装置であって、
前記情報端末装置は、ユーザ登録・動画投稿・動画閲覧を実行するアプリケーションソフトを実装し、
前記主装置は、絵文字を登録し絵文字から各国語テキスト文書ファイルに変換する機構、広告付き配信動画データを作成する機構、広告付き配信動画データに著作権保護のためのコンテンツＩＤを付加処理する機構、広告付き配信動画データを管理する機構及び広告付き動画配信データを動画配信用の番組表に自動割り当てする機構を実現するアプリケーションソフトを実装すること、
を特徴とする短編動画データ配信装置。
【請求項２】
動画データ投稿・動画閲覧をするユーザ側のパーソナルコンピュータ、携帯端末又はＰＨＳから選ばれる情報端末装置と、
情報端末装置から受信した動画データを基に、広告付き短編動画データの配信を含む動画共有サイトを実現するコントローラであるサーバーシステムと、配信動画データベース、ユーザ情報データベース、ＣＭ・本編動画データベース、絵文字・多言語テキスト文書データベース、配信履歴データベースを含み動画データなどを蓄積するストレージ装置と、情報端末装置へ動画を配信する配信サーバと、を含む主装置と、
前記情報端末装置、主装置間で各種情報の送受信を行うインターネット回線、移動体通信網を含む通信網、
を有する短編動画データ配信装置であって、
前記情報端末装置は、ユーザ登録・動画投稿・動画閲覧を実行するアプリケーションソフトを実装し、
前記主装置は、絵文字を登録し絵文字から各国語テキスト文書ファイルに変換する機構、広告付き配信動画データを作成する機構、広告付き配信動画データに著作権保護のためのコンテンツＩＤを付加処理する機構、広告付き配信動画データを管理する機構及び広告付き動画配信データを動画配信用の番組表に自動割り当てする機構を実現するアプリケーションソフトを実装すること、
を特徴とする短編動画データ配信装置。
【請求項３】
動画データ投稿・動画閲覧をするユーザ側のパーソナルコンピュータ、携帯端末又はＰＨＳから選ばれる情報端末装置と、
情報端末装置から受信した動画データを基に、広告付き短編動画データの配信を含む動画共有サイトを実現するコントローラであるサーバーシステムと、配信動画データベース、ユーザ情報データベース、ＣＭ・本編動画データベース、絵文字・多言語テキスト文書データベース、配信履歴データベースを含み動画データなどを蓄積するストレージ装置と、情報端末装置へ動画を配信する配信サーバとを含む主装置と、
前記情報端末装置、主装置間で各種情報の送受信を行うインターネット回線、移動体通信網を含む通信網とを有する短編動画データ配信装置であって、
前記情報端末装置は、主装置から提供される動画閲覧用のサービス画面でのテキスト入力又は絵文字入力により、主装置の絵文字・多言語テキスト文書データベース、配信サーバ内の番組表データベースを参照して配信動画の読み込みを行ない、かつ、絵文字・写真などの画像データから指定した各国語言語に変換して表示する動画閲覧処理と、主装置から提供される動画投稿用のサービス画面での言語指定、テキスト入力又は絵文字入力、題名説明文等の入力、投稿画像データ入力、著作権情報入力、データ送信による動画投稿処理とを実行するアプリケーションソフトを実装し、
前記主装置は、絵文字登録画面でのオペレータによる言語指定、テキスト入力又は絵文字入力、著作権情報入力による絵文字・多言語テキスト文書データベースへの絵文字登録及び絵文字から各国語テキスト文書ファイルに変換する処理、配信データ作成画面でのオペレータによるＣＭ・本編動画データベース、配信動画データベース及びユーザ情報データベース参照に基づいた著作権保護のための予め定めた記述規約によるコンテンツＩＤが付与されたヘッダー部：ＣＭ動画、本編動画部：本編動画、フッター部：ＣＭ動画の配列からなり、ヘッダー部の長さ＝５×Ｉ（秒）、本編動画部の長さの６０×Ｊ（秒）、フッター部の長さ＝５×Ｉ（秒）：（ただし、Ｉ，Ｊ：正の数値データ、各初期値はＩ＝１，Ｊ＝１，１＜＝Ｉ，Ｊ＜＝３０）のファイルフォーマットからなる広告付き動画配信データの合成作成及び配信動画データベースへの登録更新処理、動画データ管理画面でのオペレータによる配信動画データベース参照に基づいた配信時間、投稿データ読み込み、配信履歴データ作成、広告付き動画配信データ登録処理、配信データ管理画面でのオペレータによる配信動画データ検索、広告付き動画配信データの動画配信用の番組表への自動割り当て処理をそれぞれ実行するアプリケーションソフトを実装すること、
を特徴とする短編動画データ配信装置。
【発明の詳細な説明】
【技術分野】
【０００１】
本発明は、短編動画データ配信装置に関し、詳しくは、送信元の情報端末装置から受信した短編動画とＣＭ動画を元にして広告付き動画配信データに自動変換して情報端末装置の要求に対してデータを送信する短編動画データ配信装置に関する。
【背景技術】
【０００２】
従来、動画共有サイトやソーシャルネットワークサービスでは、パーソナルコンピュータ（ＰＣ）などの情報端末装置から動画を投稿・閲覧をし、コミュニティに参加して情報交換するシステムサービスが提供されている。
【０００３】
これらのシステムサービスを利用するには、その一例として、動画を投稿するには、パーソナルコンピュータなどの情報端末装置からサービスを提供しているサイトにアクセスする。
【０００４】
そして、認証手続きのログインＩＤとパスワードを入力してサイトにログインをし、送信する動画データを指定してタイトル、分類名、説明文などの投稿データを入力する流れとなる。
【０００５】
サービス提供会社は、登録会員間のメール交換を行うためのショートメールシステムを提供し、文書や動画を共有するシステムサービスを提供している。
また、登録会員には、会員間で使用できるメールアドレスが発行され、メール文書はもとより動画、音楽、静止画などのデジタルコンテンツが添付ファイルとして情報共有が行われている。
【０００６】
近年では、カメラ付き携帯電話などの携帯情報端末を利用して数分の動画を撮影し、デジタルカメラの動画撮影機能で数秒の動画を撮影するなどして、動画共有サイトに短編動画を投稿することが一般化してきている。
【０００７】
更に、自作のデジタルコンテンツ以外のＴＶドラマ・他人が制作した動画・市販ＤＶＤを複製加工した違法コピー動画も投稿されている。
一方、動画共有サイトで海外の動画コンテンツを視聴するとき、海外の利用者との情報交換には語学力が必要であり、外国語が苦手な人には難しいのが実態である。
【０００８】
また、動画データは、デジタルカメラの静止画と異なり、編集するにはＰＣと動画編集ソフトが必要であり、取扱が面倒と感じている利用者が多い。そして、サービス会社が提供する動画共有サイトは、動画配信システムの１形態であるといえる。
【０００９】
例えば、情報端末装置が携帯電話であるクライアントシステムとサーバーシステムによる動画配信システムは、目的・用途によって様々なハードウエア、ファームウエア、アプリケーションソフトの構成によって実現されている。
【００１０】
インターネット回線経由で動画配信ができる情報端末装置は、携帯電話、ＰＣ、モバイル端末など多種多様である。
【００１１】
動画データの送受信を可能とするシステムインフラが整備され、デジタル動画データは、インターネット回線を経由して世界レベルでやりとりされている。そして、動画共有サイトの出現により投稿による動画コンテンツが飛躍的に増大した結果、利用者にとっては視聴できる選択肢が広がったことは否定できない。
しかしながら、ソーシャルネットワークサービスや動画共有サイトを利用する場合、以下の問題がある。
【００１２】
（１）動画コンテンツは著作権法上、合法的なもの非合法的なものが区別なくやりとりされている。
（２）動画フォーマットなどの技術上の基礎的な知識がないと使うのが難しい。
（３）外国語が苦手な人が利用しようとしても、海外の投稿動画は、メール文書や投稿文書が理解できない。
（４）移動時間やランチタイムなどの隙間の時間帯に、モバイル端末で動画コンテンツを視聴しようと思っても、その時間帯にあった面白い短編の動画コンテンツが非常に少ない。
（５）カメラ撮影した動画ファイルを編集することが面倒であり、抵抗を感じている人が多い。
（６）動画コンテンツの検索方法が難解で、視聴したいコンテンツまで辿りつけなくて不便な側面がある。
（７）投稿された動画データは、タイトル、ジャンル名、説明文とも不完全なデータであることが多い。これら投稿データを個々にチェックすることが難しい。
【００１３】
このような動画配信システムに関しては、従来、様々な端末機で動画を再生できるように機種別の動画ファイルを配信できるようにした動画配信サーバ（特許文献１）、通信端末から文字入力するだけで容易に文字がアニメーションする動画データを自動作成し、他の通信端末に配信するようにした動画配信サーバ（特許文献２）、ファイルシステムで定義されるファイルシステムデータが読み取り不能になった場合でも、ファイルの読み出しを可能とするように構成した記録方法（特許文献３）などが提案されている。
【特許文献１】特開２００４−２２２１２４号公報
【特許文献２】特開２００５−１７３７９２号公報
【特許文献３】特開２００７−０４２２５５号公報
【発明の開示】
【発明が解決しようとする課題】
【００１４】
本発明が解決しようとする問題点は、絵文字を使用して各国語別の多言語テキスト文書に変換できる絵文字コミュニケーション機能、投稿動画などと広告主が提供するＣＭ動画とを元にファイルフォーマットの違いや長さに関係なく所定長さの広告付き短編動画データを自動編集、送受信する動画コンテンツに対してＩＤデータを動画コンテンツ内に埋め込み送信者特定ができるようにした動画コンテンツの著作権保護の実現、チャンネル別、ジャンル別、時間帯別にレイアウトされた番組表の自動作成などの機能を備えた短編動画データ配信装置が存在しない点である。
【課題を解決するための手段】
【００１５】
本発明に係る短編動画データ配信装置は、動画データ投稿・動画閲覧をする情報端末装置と、情報端末装置から受信した動画データを基に、広告付き短編動画データの配信を含む動画共有サイトを実現する主装置と、前記情報端末装置、主装置間で各種情報の送受信を行う通信網とを有する短編動画データ配信装置であって、前記情報端末装置は、ユーザ登録・動画投稿・動画閲覧を実行するアプリケーションソフトを実装し、前記主装置は、絵文字を登録し絵文字から各国語テキスト文書ファイルに変換する機構、広告付き配信動画データを作成する機構、広告付き配信動画データに著作権保護のためのコンテンツＩＤを付加処理する機構、広告付き配信動画データを管理する機構及び広告付き動画配信データを動画配信用の番組表に自動割り当てする機構を実現するアプリケーションソフトを実装することを最も主要な特徴とする。
【発明の効果】
【００１６】
請求項１記載の発明によれば、絵文字を使用して各国語別の多言語テキスト文書ファイルに変換できる絵文字コミュニケーション機能、投稿動画などと広告主が提供するＣＭ動画とを元にファイルフォーマットの違いや長さに関係なく所定長さの広告付き短編動画データを自動編集、送受信する動画コンテンツに対して、ＩＤデータを動画コンテンツ内に埋め込み、送信者特定ができるようにした動画コンテンツの著作権保護の実現、チャンネル別、ジャンル別、時間帯別にレイアウトされた番組表の自動作成などを効率よく実行できる短編動画データ配信装置を提供することができる。
【００１７】
これにより、特に情報端末装置ユーザ側では、移動時間や通勤時間帯、昼食時などに気軽に短編動画が楽しめるようになり、情報端末装置の利用価値が高くなり、また、動画技術や外国語が苦手な人でも情報端末装置さえあれば、動画共有サイトを利用でき、更に、ユーザには母国語で動画を投稿でき、かつ、閲覧できる操作環境が提供されることになって、大量の短編動画のコンテンツ創作に大きく寄与することが可能となるという利点がある。
【００１８】
一方、主装置側では、ＣＭ動画付き短編動画の創作により独創性のある動画ＣＭ制作に弾みがつき、効果的なＣＭ配信できるようになって、ＴＶコマーシャルと対比しても広告メディアとして費用対効果が格段に高まる。
【００１９】
また、主装置では、配信する動画データに個体管理が可能なＩＤ情報が自動的に付与され動画データ毎に著作権者名、送信者名、送信時間が管理できるようになる。これにより、配信される動画コンテンツ毎に誰からいつ送信されたが特定でき、動画コンテンツの著作権保護対策に寄与できることになり、自動化の恩恵により、これら著作権チェックのための費用と時間が大幅に削減されるという利点がある。
【００２０】
請求項２記載の発明によれば、動画データ投稿・動画閲覧をするユーザ側のパーソナルコンピュータ、携帯端末又はＰＨＳから選ばれる情報端末装置と、情報端末装置から受信した動画データを基に、広告付き短編動画データの配信を含む動画共有サイトを実現するコントローラであるサーバーシステムと、配信動画データベース、ユーザ情報データベース、ＣＭ・本編動画データベース、絵文字・多言語テキスト文書データベース、配信履歴データベースを含み動画データなどを蓄積するストレージ装置と、情報端末装置へ動画を配信する配信サーバーとを含む主装置と、前記情報端末装置、主装置間で各種情報の送受信を行うインターネット回線、移動体通信網を含む通信網とを有する構成の基に、請求項１記載の発明と同様な効果を発揮させることができる短編動画データ配信装置を提供することができる。
【００２１】
請求項３記載の発明によれば、請求項２記載の発明と同様な構成で、請求項１記載の発明と同様な効果を発揮させることができ、かつ、予め定めた記述規約によるコンテンツＩＤが付与されたヘッダー部：ＣＭ動画、本編動画部：本編動画、フッター部：ＣＭ動画の配列からなり、ヘッダー部の長さ＝５×Ｉ（秒）、本編動画部の長さの６０×Ｊ（秒）、フッター部の長さ＝５×Ｉ（秒）：（ただし、Ｉ，Ｊ：正の数値データ、各初期値はＩ＝１，Ｊ＝１，１＜＝Ｉ，Ｊ＜＝３０）のファイルフォーマットからなる広告付き動画配信データに基づいた独創性のある動画ＣＭ制作、効果的な動画配信ができる短編動画データ配信装置を提供することができる。
【発明を実施するための最良の形態】
【００２２】
本発明は、絵文字を使用して各国語別の多言語テキスト文書ファイルに変換できる絵文字コミュニケーション機能、投稿動画などと広告主が提供するＣＭ動画とを元にファイルフォーマットの違いや長さに関係なく所定長さの広告付き短編動画データを自動編集、送受信する動画コンテンツに対してＩＤデータを動画コンテンツ内に埋め込み送信者特定ができるようにした動画コンテンツの著作権保護の実現、チャンネル別、ジャンル別、時間帯別にレイアウトされた番組表の自動作成などの機能を備えた短編動画データ配信装置を提供するという目的を有するものである。
【００２３】
本発明の短編動画データ配信装置は、動画データ投稿・動画閲覧をするユーザ側のパーソナルコンピュータ、携帯端末又はＰＨＳから選ばれる情報端末装置と、情報端末装置から受信した動画データを基に、広告付き短編動画データの配信を含む動画共有サイトを実現するコントローラであるサーバーシステムと、配信動画データベース、ユーザ情報データベース、ＣＭ・本編動画データベース、絵文字・多言語テキスト文書データベース、配信履歴データベースを含み動画データなどを蓄積するストレージ装置と、情報端末装置へ動画を配信する配信サーバーとを含む主装置と、前記情報端末装置、主装置間で各種情報の送受信を行うインターネット回線、移動体通信網を含む通信網とを有する短編動画データ配信装置であって、前記情報端末装置は、ユーザ登録・動画投稿・動画閲覧を実行するアプリケーションソフトを実装し、前記主装置は、絵文字を登録し絵文字から各国語テキスト文書に変換する機構、広告付き配信動画データを作成する機構、広告付き配信動画データに著作権保護のためのコンテンツＩＤを付加処理する機構、広告付き配信動画データを管理する機構及び広告付き動画配信データを動画配信用の番組表に自動割り当てする機構を実現するアプリケーションソフトを実装する構成により、上記目的を実現した。
【実施例】
【００２４】
以下、本発明の実施例に係る短編動画データ配信装置について、図面を参照して詳細に説明する。
【００２５】
本実施例に係る短編動画データ配信装置１は、図１、図２示すように、動画投稿・動画閲覧をするための情報端末装置２と、情報端末装置２から受信した動画データを基に、動画共有サイトを実現するための主装置１１と、前記情報端末装置２、主装置１１間で各種情報の送受信を行う移動体通信網３１、インターネット回線３０とからなる通信網とにより構成される。
【００２６】
前記情報端末装置２は、図１、図２に示すように、ＰＣ（パーソナルコンピュータ）３、携帯端末（携帯電話）４、ＰＨＳ５などのモバイル端末から構成され、それらのハードウエアにユーザ登録・動画投稿・動画閲覧をするためのアプリケーションソフトが実装される。
【００２７】
前記主装置１１は、図１、図２に示すように、コントローラであるサーバーシステム１２と、動画データなどを蓄積するストレージ装置１３と、情報端末装置２へ動画を配信するための配信サーバ１４とから構成される。
【００２８】
前記主装置１１は、広告付き配信動画データを作成・管理する機構、著作権保護のためのコンテンツＩＤ付加処理する機構、絵文字を登録し絵文字から各国語テキスト文書ファイルに変換する機構、広告付き動画配信データを番組表に自動割り当てする機構などを有している。
【００２９】
前記サーバーシステム１２のハードウエアには、前記情報端末装置２との間で投稿動画データ等を送受信して広告付き動画配信データを番組表まで配信するためのアプリケーションソフトが実装される。
【００３０】
前記ストレージ装置１３は、図１に示すように、配信動画ＤＢ（データベース）２１と、ユーザ情報ＤＢ２２と、ＣＭ・本編動画ＤＢ２３と、絵文字・多言語テキストＤＢ２４と、配信履歴ＤＢ２５とからなるデータベース群により構成される。
【００３１】
本実施例に係る短編動画データ配信装置１においては、図１に示すように、前記情報端末装置２及び前記主装置１１全体で７個のシステムコンポーネントを有する構成としている。
【００３２】
すなわち、情報端末装置２が、図１に示すように、ユーザ情報登録、動画閲覧画面、動画投稿画面の３個のシステムコンポーネントを備え、前記主装置１１が、絵文字登録画面、配信データ作成、動画データ管理及び配信データ管理の４個のシステムコンポーネントを備えている。
【００３３】
前記情報端末装置２のユーザ情報登録処理では、情報端末装置２においてユーザ情報登録画面を選択して図３に示すようなユーザ情報登録処理を実行する。
情報端末装置２の動画閲覧画面では、情報端末装置２において動画閲覧メニュー選択に基づき図４、図５に示すような、テキスト検索、番組表検索処理を実行する。
【００３４】
前記情報端末装置２の動画投稿画面では、情報端末装置２において動画投稿画面メニュー選択に基づき図６に示すような投稿内容を従来のテキスト入力と絵文字入力から選択して入力する処理を実行する。
【００３５】
前記主装置１１の絵文字登録画面では、図７に示すように、絵文字登録メニュー画面の選択により絵文字を新規登録・修正・削除する処理、言語別登録メニューの選択により登録した絵文字に対応する各国語のテキスト文書を絵文字・多言語テキスト文書データベース２４に登録する処理を実行する。
【００３６】
前記主装置１１の配信データ作成では、図８に示すように、配信データ作成メニュー画面の選択により、ＣＭ動画と本編動画を合成する動画データ合成処理、コンテンツＩＤを動画コンテンツに埋め込むためのコンテンツＩＤデータ書き込み処理、配信動画データベース２１にデータを書き込み更新する処理を実行する。
【００３７】
前記主装置１１の動画データ管理では、図９に示すように、動画データ管理メニューを選択し、情報端末装置２から受信したＣＭ動画及び本編動画を配信履歴データベース２５に登録し、配信履歴データを更新する処理を実行する。
【００３８】
前記主装置１１の配信データ管理では、図１０に示すように、配信データをチャンネル別、ジャンル別時間帯別になっている番組表に自動配置する番組表作成処理と、配信スケジュールなどを設定する配信データ作成処理を実行する。
【００３９】
なお、上述した図３から図１０までの各処理フロー及びその具体的処理内容については以下に詳述する。
【００４０】
次に、前記情報端末装置２のユーザ情報登録処理について図３を参照して詳述する。
【００４１】
このユーザ情報登録処理においては、ユーザは、情報端末装置２において移動体通信網３１、インターネット回線３０を介して主装置１１にアクセスし、ユーザ情報登録画面を選択し、以下の処理を順次実行する。
【００４２】
まず、ユーザは、使用する情報端末装置２の機種名入力、メールアドレス入力、ハンドルネーム入力、パスワード入力を行い、更に、パスワード再入力、パスワード入力ミスの確認を実行した後、さらに、氏名（姓名、名前）、生年月日、性別を入力し、ユーザ自身が使用する言語を指定する。
【００４３】
ここで、ユーザは、入力データ一覧を確認し、修正が有れば修正入力を実行し、入力データの最終確認を行いＯＫであれば、主装置１１にデータ送信を行って、ユーザ情報登録処理を完了する。
【００４４】
次に、前記情報端末装置２の番組表検索、テキスト検索処理について、図４、図５を参照して詳述する。
【００４５】
この番組表検索、テキスト検索処理では、ユーザは、情報端末装置２において移動体通信網３１、インターネット回線３０を介して主装置１１にアクセスし、動画閲覧メニュー選択を選択し以下の処理を実行する。
【００４６】
（１）ユーザは、まず、ログインＩＤ、パスワードを入力する。
（２）データ入力が違うときは（１）にジャンプし、データ入力が正しいときは以下の処理を行う。
（３）次に、ユーザはユーザ情報データベース２２を参照し、使用言語・ハンドルネームなどのユーザ情報を読み込む。そして、配信動画データベース２１を参照し、選択した言語表記のサービス画面を表示し、言語指定を行って検索画面を表示する。
（４）検索画面での検索の方法は、テキスト検索か番組表検索のいずれかであり、テキスト検索の場合は検索キーワードを入力する。番組表検索の場合は図５に示す番組表検索処理に移行する。
（５）検索キーワード入力後、表示モードを指定し、次に絵文字表示をテキスト表示に変換するかを指定する。テキスト変換キーを押すと絵文字・多言語テキスト文書データベース２４を参照して該当するテキスト文書が読み込まれ、テキスト表示に変換しない場合は動画再生に移行する。
（６）次に、ユーザは、チャンネル数、ジャンル、時間帯をキー入力する。そして、その条件を満足した動画データ一覧表が表示される。この動画データ一覧表には、動画データのトップ画面（サムネール）とタイトル、説明文、投稿日付、閲覧数、表記言語が表示される。
（７）ここで、ユーザが所望の動画データを選択すると、再生ソフトが起動し指定した動画データが再生される。再生終了後、終了ボタンを押すと番組検索処理は終了する。
（８）また、別の動画データを再生するには（３）の検索画面を表示し、以降は上述した場合と同様な処理が実行される。
【００４７】
次に、図５に示す番組表検索処理では、前記情報端末装置２の画面に番組表画面が表示され、ここで、ユーザは、チャンネル選択、時間帯選択を行うと、前記情報端末装置２の画面に番組表一覧が表示される。
【００４８】
ユーザが番組表一覧から所望の番組選択を行い、その入力データがＯＫであれば、配信動画データベース２１の検索が実行されて、前記情報端末装置２の画面に動画再生画面が表示される。
【００４９】
ここで、ユーザが終了ボタンを押すと番組検索処理は終了する。
【００５０】
次に、情報端末装置２の動画投稿処理について、図６を参照して詳述する。
この動画投稿処理では、ユーザは、情報端末装置２において移動体通信網３１、インターネット回線３０を介して主装置１１にアクセスし、以下の処理を実行する。
【００５１】
（１）ユーザは、まず、ログインＩＤ、パスワードを入力する。
（２）データ入力が違うときは（１）にジャンプし、データ入力が正しいときは以下の処理を行う。
（３）次に、ユーザはユーザ情報データベース２２を参照し、使用言語・ハンドルネームなどのユーザ情報を読み込み、サービス画面を情報端末装置２に画面表示する。
（４）更に、画面メニューの言語選択がキーインされたら、その言語のサービス画面データを参照し、次にユーザは、サービス画面のメニューを参照し、言語指定、入力方式（テキスト入力モード又は絵文字入力モード）を指定する。
（５）テキスト入力が指定された場合、題名、説明文、ラベル名、分類名をテキスト入力し又はプルダウンメニューで選択する。
（６）絵文字入力が指定された場合、題名、説明文、ラベル名、分類名とも候補の絵文字が表示され、該当する絵文字を選択入力する。絵文字入力が行われると、絵文字・多言語テキスト文書データベース２４を参照して、指定された絵文字に関連付けられた各言語テキスト文書を情報端末装置２に読み込む。
（７）テキスト入力完了後、又は各言語テキスト文書読み込み後、情報端末装置２に搭載した投稿者用サービス画面を起動し、送信する動画データファイルを指定し投稿動画データを入力する。
（８）次に、入力データを確認し、更に、修正確認メニュー画面を表示し、入力データがＮＯであれば、該当箇所の修正入力処理を行う。また、修正入力がＯＫであれば、次に著作権者名の入力処理に移行する。この場合、投稿者と権利者が同一の場合は入力をジャンプする。
（９）次に、ユーザ情報と入力データから通信履歴データを作成して、主装置１１に送信する。また、前記入力データも主装置１１に送信する。これにより、主装置１１の配信履歴データベース２５が更新され、ＣＭ・本編動画データベース２３も更新される。
【００５２】
以上の一連の処理で動画投稿処理が完了する。
【００５３】
次に、主装置１１の絵文字登録処理について、図７、図１１を参照して説明する。
【００５４】
この絵文字登録処理は、絵文字入力モードで使用する絵文字の新規登録、修正、削除ならびに絵文字に関連付けする各国語のテキスト文書ファイルを登録、修正、削除を行う処理である。
【００５５】
（１）主装置１１を利用するため、オペレータは、サーバーシステム１２からまずログインＩＤ、パスワードを入力する。
（２）データ入力が違うときは（１）にジャンプし、データ入力が正しいときは以下の処理を行う。
（３）次に、ユーザ情報データベース２２を参照し、入力データが正しいかどうか判定し、ＯＫであれば、次の処理に移動し、ＮＯであれば、ログインＩＤ、パスワードなどの再入力を促す。
（４）入力データが正しい場合、ユーザ情報データベース２２を参照し、使用言語・ハンドルネームなどのオペレータ情報を読み込み、選択した言語表記のサービス画面を表示する。
（５）次に、サービス画面の画面メニューから言語指定がキーインされたら、その言語のサービス画面データを参照し、画面表示する。
（６）次に、図１１に示すような内容の絵文字データファイル入力、絵文字データに対応する指定した言語のテキスト文書を入力し、入力データを確認し、更に、修正確認メニュー画面を表示し、入力データがＮＯであれば、該当箇所の修正入力処理を行う。
（７）修正入力がＯＫであれば、次に著作権者名の入力メニュー画面に移行する。投稿者と権利者が同一の場合は入力をジャンプする。
（８）次に、入力データの送信処理を行う。
（９）ストレージ装置１３においては、ユーザ情報と入力データから通信履歴データを作成して、配信履歴データベース２５を更新する。
（１０）また、ストレージ装置１３が受信した絵文字・テキスト文書を、絵文字・多言語テキスト文書データベース２４に登録する。
【００５６】
以上の一連の処理で絵文字登録処理が完了する。
【００５７】
次に、主装置１１の配信データ作成処理について図８、図１２、図１３を参照して説明する。
【００５８】
この配信データ作成処理では、配信する「広告付き動画配信データ」を自動作成し、配信動画データベースを更新するための操作を行う。
【００５９】
（１）主装置１１を利用するため、オペレータは、サーバーシステム１２からまずログインＩＤ、パスワードを入力する。
（２）データ入力が違うときは（１）にジャンプし、データ入力が正しいときは以下の処理を行う。
（３）次に、ユーザ情報データベース２２を参照し、入力データが正しいかどうか判定して、ＯＫであれば、次の処理に移動し、ＮＯであれば、ログインＩＤ、パスワードなどの再入力を促す。
（４）入力データが正しい場合、ユーザ情報データベース２２を参照し、使用言語・ハンドルネームなどのオペレータ情報を読み込み、言語指定を行う。
（５）次に、図１３に示すように、配信動画データベース２１、ＣＭ・本編動画データベース２３、ユーザ情報データベース２２の検索を行う（ステップ１）。これにより「広告付き動画配信データ」の構成要素であるＣＭ動画と本編動画の組み合わせを決め合成処理を行う（ステップ２）。
（６）次に、ＣＭ・本編動画データベース２３からＣＭ動画及び本編動画の各コンテンツＩＤを、また、配信動画データベース２１とユーザ情報データベース２２から配信用テキストデータ（受信データ、使用言語、年齢層、性別、閲覧回数）を読み込む（ステップ３）。
（７）次に、読み込んだ動画データをデコードして、フレーム単位に展開する（ステップ４）。
（８）次に、各フレームに対して以下（ア）、（イ）の処理を行う。
（ア）コンテンツＩＤを２進数に変換する。
（イ）図１２に例示しているように、基点のドットから時計周りにバイナリーデータを０は透明色のドットデータ、１は黒色のドットデータに置換して各フレームの外枠に書き込む。
【００６０】
（９）次に、動画データをエンコード処理してストリーミングデータに変換する。本実施例では、５秒ＣＭ動画データ（ＩＤ：１２３４５６７８）及び６０秒本編動画（ＩＤ：０００００１２３）から合計７０秒の広告付き動画配信データを作成する。具体的には、以下のとおりである。
【００６１】
すなわち、本実施例では、広告付き動画配信データのデータレイアウトは、以下のように定義する。
【００６２】
2009268028.tif 000003
【００６３】
このように、ヘッダー部とフッター部で囲まれた短編の本編動画部を「広告付き動画配信データ」とするものである。
【００６４】
ここに、
＜ヘッダー部：ＣＭ動画＞長さ＝５×Ｉ（秒）
＜本編動画部：本編動画＞長さ＝６０×Ｊ（秒）
＜フッター部：ＣＭ動画＞長さ＝５×Ｉ（秒）
但し、Ｉ，Ｊ：正の数値データ、各初期値はＩ＝１，Ｊ＝１，１＜＝Ｉ，Ｊ＜＝３０と定義する。
【００６５】
（１０）次に、オペレータは配信スケジュール入力処理を行う（ステップ５）。すなわち、配信予定日ＹＹＭＭＤＤ（年月日）及び配信する順番（シリアルナンバー、自然数）データを入力する。
（１１）次に、前記広告付き動画配信データ用のコンテンツＩＤを算定する（ステップ６）。計算式は、図１３にも示すように、以下の通りである。すなわち、Ｍ＝本編動画コンテンツＩＤ、Ｎ＝ＣＭ動画コンテンツＩＤとするとき、広告付き動画配信データ用ＩＤをＣとすると、Ｃ＝Ｍ×Ｅ＋７＋Ｎと算定する。
（１２）次に、番組表作成用データをＣＳＶファイルで作成する（ステップ７）。
（１３）次に、サービス画面が表示される。ここで修正及び追加の処理をするときはＮＯをキーインすることで反復処理ができる。
（１４）処理を終了すると、配信データはＣＳＶファイルが付加されてストレージ装置１３の配信動画データベース２１に送信される（ステップ８）。これにより、配信動画データベース２１に入力データが追加され更新処理される。
【００６６】
次に、動画データ管理処理について図９を参照して説明する。
【００６７】
この動画データ管理処理は、主装置１１において情報端末装置２から受信したＣＭ動画及び本編動画をデータベース登録し、配信履歴データを更新する処理である。
【００６８】
（１）主装置１１を利用するため、オペレータは、まず、サーバーシステム１２からログインＩＤ、パスワードを入力する。
（２）データ入力が違うときは（１）にジャンプし、データ入力が正しいときは以下の処理を行う。
（３）次に、ユーザ情報データベース２２を参照し、入力データが正しいかどうか判定して、ＯＫであれば、次の処理に移動し、ＮＯであれば、ログインＩＤ、パスワードなどの再入力を促す。
（４）入力データが正しい場合、ユーザ情報データベース２２を参照し、使用言語・ハンドルネームなどのユーザ情報（オペレータ情報）を読み込み、言語指定を行って、選択した言語表記のサービス画面を表示する。
（５）次に、動画データ検索を行う。すなわち、ＣＭ・本編動画データベース２３にアクセスし、ＣＭ動画または本編動画の選択とキーワード検索によって動画検索を行う。
（６）検索結果をサーバーシステム１２に画面表示し、確認する。
（７）次に、検索した動画データの登録データ、配信時間を読み込み、配信履歴データを作成する。
（８）次に、サービス画面が表示される。修正及び追加の処理をするときはＮＯをキーインすると反復処理ができる。
（９）入力ＯＫであれば、入力データはストレージ装置１３へ送信される。
（１０）この結果、ＣＭ・本編動画データベース２３に入力データが登録され、更新処理される。
【００６９】
次に、配信データ管理処理について図１０、図１４を参照して説明する。
【００７０】
この配信データ管理処理は、ＣＭ・本編動画データベース２３と配信履歴データベース２５から、配信するため番組表を作成し、配信するコンテンツを配信サーバ１４に転送するための処理である。
【００７１】
（１）主装置１１を利用するため、オペレータは、サーバーシステム１２からまずログインＩＤ、パスワードを入力する。
（２）データ入力が違うときは（１）にジャンプし、データ入力が正しいときは以下の処理を行う。
（３）次に、ユーザ情報データベース２２を参照し、入力データが正しいかどうか判定して、ＯＫであれば、次の処理に移動し、ＮＯであれば、ログインＩＤ、パスワードなどの再入力を促す。
（４）入力データが正しい場合、ユーザ情報データベース２２を参照し、使用言語・ハンドルネームなどのユーザ情報（オペレータ情報）を読み込み、言語指定を行って、選択した言語表記のサービス画面を表示する。
（５）次に、サービス画面において、配信スケジュール、言語・ジャンル・閲覧回数、年齢層、タイトルなどの検索キーを操作し、配信する動画データ検索を行う。
（６）次に、動画データ検索結果を入力データ画面で確認し、配信規約情報を入力する。
（７）次に、検索された広告配信データを、図１４に示すように、チャンネル別、ジャンル別、時間帯別、受信日付別、閲覧数ランク別に分類処理を行う。
（８）次に、番組表の四次元マトリックス（チャンネル・ジャンル・時間帯別・表示ランク別）の配信コンテンツ枠に、分類処理された「広告付き動画配信データ」をマッピング（割り当て）する。
（９）次に、配信予定表である番組表のサービス画面が表示される。
（１０）ここで、修正及び追加の処理をするときはＮＯをキーインすることで反復処理を行う。
（１１）修正及び追加の処理終了後、又は修正及び追加がないときには、作成された番組表データを配信サーバ１４に送信する。
（１２）これにより、配信サーバ１４内の番組表データベースに登録され、更新処理される。
【００７２】
本実施例に係る短編動画データ配信装置１の具体的応用例としては、以下のような態様を挙げることができる。
【００７３】
（Ａ）世界の家庭料理レシピ番組への応用
日本の食品メーカのＡＢＣフードにおいて、世界の食材を使った新製品開発をするため、中国・韓国・インド・米国・イタリア・ドイツ・フランス・カナダの国の家庭料理について１分間レシピを各国の一般主婦から動画投稿する企画を立案した。
【００７４】
企画の目的は商品企画のヒントにすること、投稿動画の中から優秀な作品には、同社のホームページで紹介してユーザサービスのための動画配信をすることである。ＡＢＣフードは、本装置を使用して構築された携帯端末ユーサー向け動画共有サイト「ｍｏｂｉｌｅ  ｗｏｒｌｄ  ｄａｔａ  ｂｒｏａｄｃａｓｔｉｎｇ」に１分間ビデオ投稿の呼びかけを各国の主婦を対象に行った。
【００７５】
サイトには、８ヶ国語多言語対応であるため投稿者の主婦は使用言語を自国語に切り替え投稿動画のタイトルと説明文に絵文字入力モードを利用して書き込みができた。ＡＢＣフードは、これらの投稿動画から数点、商品企画になるヒントを得た。
【００７６】
更に、投稿動画の中から優秀レシピ賞として１０タイトルを選定し、５秒の企業ＣＭを１分動画レシピの前後に配置した広告付き動画配信データを、動画共有サイトに投稿できた。企業ＣＭと同時に、同社の製品を使用した動画レシピがセットにして配信したことで、製品ＰＲとユーザサービスの充実が可能となった。
【００７７】
（Ｂ）漫画とアニメを専門に出版している米国企業Ｘ社
アジア市場向けに日本・韓国・中国・インド在住の作家を発掘して、ビジネスマン向けのビジネスニュースを漫画とアニメ形式でトピックスを１分に決め有料動画ストリーミングサービスを始めた。短編動画データ配信装置を利用して、コンテンツの公募を行い、作家が所有する漫画やアニメの動画コンテンツを配信するための個人放送局サービスを無償で行った。
【００７８】
その結果、１００名から平均３０タイトル、合計３，０００作品の投稿があった。この作品の中から、視聴者からアクセス数の多かった１０タイトルの製品化を決め、ストリーミングサービスの製品メニューに加えた。
【００７９】
５秒の会員登録紹介ビデオ、６０秒の１０作品の動画ファイルを情報端末からアップロードしてＣＭ・本編動画データベースに登録した。
【００８０】
投稿動画は、本装置内の著作権保護機構のコンテンツＩＤの付加機能、著作権情報登録機能により違法コピー対策のシステムサービスが施された。製品化した１０タイトルは本装置と連動した自社ＥＣサイトより、携帯端末を持つ顧客向けにＣＭ動画付き本編動画７０秒のストリーミングサービスを実施できた。
【００８１】
（Ｃ）ペット・動物動画データ配信サービス
ペット愛護ボランティア団体であるワールドペット警察。犬と猫を中心としたペット動物の虐待防止、飼い主のいないペットの里親探し、迷子になった動物の救済を行っている。
【００８２】
いままでホームページの掲示板で里親探しや迷子になった動物の情報収集に努めていたが効果が上げられなかった。
【００８３】
そこで、短編動画データ配信装置を活用した動画共有サイトの個人放送局から里親を探している犬と猫、５０匹の３分動画、団体の告知広告１０秒を前後に配置して１コンテンツ３分２０秒の広告配信データにして配信した。携帯電話を四六時中利用している全国の中学生、高校生からの口コミで動物を飼いたいと思っている里親候補から問い合わせが多くくるようになった。
【００８４】
また、迷い犬・猫の情報収集は、カメラ付き携帯電話とデジタルカメラで撮影した動画を投稿してもらう呼びかけを、ワールドペット警察から一般携帯ユーザにしたところ、主に動物好きの大学生から携帯電話から情報が寄せられるようになった。
【産業上の利用可能性】
【００８５】
本発明の短編動画データ配信装置は、動画共有サイト／携帯端末ユーザ向け動画配信サービス、動画データ放送局／世界各国向け短編動画の放送サービス、ソーシャルネットワークサービス、ＣＭ収益を事業モデルとする会員制情報交換サイトなどに広範に応用可能である。
【図面の簡単な説明】
【００８６】
【図１】本発明の実施例に係る短編動画データ配信装置における主装置、情報端末装置、移動体通信網、インターネット回線に関するシステム概念図である。
【図２】本実施例に係る短編動画データ配信装置における主装置、情報端末装置、移動体通信網、インターネット回線に関する概略ブロック図である。
【図３】本実施例に係る短編動画データ配信装置における情報端末装置のユーザ情報登録処理の流れを示すフローチャートである。
【図４】本実施例に係る短編動画データ配信装置における情報端末装置のテキスト検索処理の流れを示すフローチャートである。
【図５】本実施例に係る短編動画データ配信装置における情報端末装置の番組表検索処理の流れを示すフローチャートである。
【図６】本実施例に係る短編動画データ配信装置における情報端末装置の動画投稿処理の流れを示すフローチャートである。
【図７】本実施例に係る短編動画データ配信装置における主装置の絵文字登録処理の流れを示すフローチャートである。
【図８】本実施例に係る短編動画データ配信装置における主装置の配信データ作成処理の流れを示すフローチャートである。
【図９】本実施例に係る短編動画データ配信装置における主装置の動画データ管理処理の流れを示すフローチャートである。
【図１０】本実施例に係る短編動画データ配信装置における主装置の配信データ管理処理の流れを示すフローチャートである。
【図１１】本実施例に係る短編動画データ配信装置における絵文字・多言語テキスト文書変換処理の概念図である。
【図１２】本実施例に係る短編動画データ配信装置における広告付き動画配信データのフレームとコンテンツＩＤ記述規約の概念図である。
【図１３】本実施例に係る短編動画データ配信装置における広告付き動画配信データ作成処理に関するシステム概念図である。
【図１４】本実施例に係る短編動画データ配信装置における番組表作成処理の概念図である。
【符号の説明】
【００８７】
１  短編動画データ配信装置
２  情報端末装置
１１  主装置
１２  サーバーシステム
１３  ストレージ装置
１４  配信サーバ
２１  配信動画データベース
２２  ユーザ情報データベース
２３  ＣＭ・本編動画データベース
２４  絵文字・多言語テキスト文書データベース
２５  配信履歴データベース
３０  インターネット回線
３１  移動体通信網
【図１】
2009268028.tif 000004
【図２】
2009268028.tif 000005
【図３】
2009268028.tif 000006
【図４】
2009268028.tif 000007
【図５】
2009268028.tif 000008
【図６】
2009268028.tif 000009
【図７】
2009268028.tif 000010
【図８】
2009268028.tif 000011
【図９】
2009268028.tif 000012
【図１０】
2009268028.tif 000013
【図１１】
2009268028.tif 000014
【図１２】
2009268028.tif 000015
【図１３】
2009268028.tif 000016
【図１４】
2009268028.tif 000017